(57)【要約】【課題】  手振れの度合（状態）を正確に知ることにより、再撮影の必要性について的確な判断を行えるようにし、無駄な撮影回数の低減や希望する撮影品質の確保を図る。【解決手段】  レンジファインダ２を備えたフィルム式カメラ１を構成するに際して、カメラ本体３の設定及び／又は検出に係わる一又は二以上の一次情報（Ｆａ，Ｆｂ，Ｆｃ，Ｆｄ，Ｆｅ）に基づいて手振れの度合に係わる二次情報Ｆｓを演算する演算処理手段４と、この演算処理手段４により得られた二次情報Ｆｓを、少なくとも定量的に表示する表示手段５を備える。【選択図】  図１
2007163833.tif 000002
【特許請求の範囲】
【請求項１】
レンジファインダを備えたフィルム式カメラにおいて、カメラ本体の設定及び／又は検出に係わる一又は二以上の一次情報に基づいて手振れの度合に係わる二次情報を演算する演算処理手段と、この演算処理手段により得られた前記二次情報を、少なくとも定量的に表示する表示手段を具備することを特徴とするフィルム式カメラ。
【請求項２】
前記一次情報には、レンズ焦点距離情報，ＩＳＯ情報，輝度情報，シャッタスピード情報の一又は二以上を含むことを特徴とする請求項１記載のフィルム式カメラ。
【請求項３】
前記演算処理手段は、前記二次情報として、前記一次情報から予測される撮影時の手振れによる影響度のレベルを求めるとともに、前記表示手段は、前記二次情報を撮影前に表示することを特徴とする請求項２記載のフィルム式カメラ。
【請求項４】
前記影響度のレベルが予め設定した第一警報レベルを超えたなら第一警報を出力する第一警報出力手段を備えることを特徴とする請求項３記載のフィルム式カメラ。
【請求項５】
前記一次情報には、シャッタ動作時の振動を検出する振動センサから得る振動検出情報を含むことを特徴とする請求項１記載のフィルム式カメラ。
【請求項６】
前記演算処理手段は、前記二次情報として、前記一次情報により手振れの度合である手振れ度のレベルを求めるとともに、前記表示手段は、前記二次情報を撮影後に表示することを特徴とする請求項５記載のフィルム式カメラ。
【請求項７】
前記手振れ度のレベルが予め設定した第二警報レベルを超えたなら第二警報を出力する第二警報出力手段を備えることを特徴とする請求項６記載のフィルム式カメラ。
【発明の詳細な説明】
【技術分野】
【０００１】
本発明は、レンジファインダを備えるとともにフィルム（銀塩フィルム）を用いるフィルム式カメラに関する。
【背景技術】
【０００２】
近時、スチルカメラは、フィルム式カメラ（アナログカメラ）からデジタルカメラに移行しつつある。デジタルカメラは、ＣＣＤ等の撮像素子により撮影するため、画像信号（画像データ）を処理する高性能で容量の大きいＣＰＵやメモリなどを内蔵している。したがって、画像データを処理する手振れ補正機能も標準的に搭載するなど、素人でも安心して良好な写真を撮ることができる利点がある。
【０００３】
一方、レンジファインダを備えたフィルム式カメラ（特開２００４−１２４９７号公報等参照）も、デジタルカメラが普及する現在においてもカメラ愛好家などから根強い人気がある。フィルム式カメラは、画像データを処理しないため、デジタルカメラに備える手振れ補正機能を搭載することができず、撮影する際における撮影者の撮影技量や勘（ノウハウ）が直接影響する側面がある。
【特許文献１】特開２００４−１２４９７号
【発明の開示】
【発明が解決しようとする課題】
【０００４】
このように、フィルム式カメラは、手振れ補正機能を搭載できないことから、撮影する際における手振れ対策が重要な課題となる。特に、手振れの影響は、フィルムを現像した後に初めて気づくことも多く、大切な撮影の機会を逃してしまう問題がある。また、手振れは、望遠撮影時，室内撮影時及び動体撮影時、更には絞りオート機能が選択された場合などにおいてその影響が大きくなり、撮影者の撮影技量や勘に頼る手法には限界がある。なお、高級な一眼レフカメラでは、手振れに対する警報機能を備えたものも知られているが、単なる警報機能では再撮影の機会は得れるものの、手振れの度合を知ることができないため、無駄な撮影回数が増えたり或いは警報手前で撮影された場合には、必ずしも満足しない場合もあり、手振れ対策としては不十分である。
【０００５】
本発明は、このような背景技術に存在する課題を解決したフィルム式カメラの提供を目的とするものである。
【課題を解決するための手段】
【０００６】
本発明は、上述した課題を解決するため、レンジファインダ２を備えたフィルム式カメラ１を構成するに際して、カメラ本体３の設定及び／又は検出に係わる一又は二以上の一次情報（Ｆａ，Ｆｂ，Ｆｃ，Ｆｄ，Ｆｅ）に基づいて手振れの度合に係わる二次情報Ｆｓを演算する演算処理手段４と、この演算処理手段４により得られた二次情報Ｆｓを、少なくとも定量的に表示する表示手段５を具備することを特徴とする。
【０００７】
この場合、発明の好適な態様により、一次情報には、レンズ焦点距離情報Ｆａ，ＩＳＯ情報Ｆｂ，輝度情報Ｆｃ，シャッタスピード情報Ｆｄの一又は二以上を含ませることができる。この際、演算処理手段４は、二次情報Ｆｓとして、一次情報（Ｆａ，Ｆｂ，Ｆｃ，Ｆｄ）から予測される撮影時の手振れによる影響度Ｘｆのレベルを求めるとともに、表示手段５は、二次情報Ｆｓを撮影前に表示することができる。また、影響度Ｘｆのレベルが予め設定した第一警報レベルＸｆｓを超えたなら第一警報を出力する第一警報出力手段６を設けることができる。他方、一次情報（Ｆｅ）には、シャッタ動作時の振動を検出する振動センサ７から得る振動検出情報Ｆｅを含ませることができる。この際、演算処理手段４は、二次情報Ｆｓとして、一次情報（Ｆｅ）により手振れの度合である手振れ度Ｘｓのレベルを求めるとともに、表示手段５は、二次情報Ｆｓを撮影後に表示することができる。また、手振れ度Ｘｓのレベルが予め設定した第二警報レベルＸｓｓを超えたなら第二警報を出力する第二警報出力手段８を設けることができる。
【発明の効果】
【０００８】
このような構成を有する本発明に係るフィルム式カメラ１によれば、次のような顕著な効果を奏する。
【０００９】
（１）  手振れの度合に係わる情報を定量的に表示するため、撮影者は、手振れの度合（状態）を正確に知ることができ、再撮影の必要性について的確な判断を行うことができる。したがって、無駄な撮影回数の低減や希望する撮影品質の確保を図れるなど、フィルム式カメラ１に対して十分な手振れ対策を施すことができ、特に、撮影技量やノウハウの乏しい人がレンジファインダ２を備えたフィルム式カメラ１を使用する際の最適な手振れ対策となる。
【００１０】
（２）  好適な態様により、一次情報に、レンズ焦点距離情報Ｆａ，ＩＳＯ情報Ｆｂ，輝度情報Ｆｃ，シャッタスピード情報Ｆｄの一又は二以上を含ませ、また、演算処理手段４により、二次情報Ｆｓとして、一次情報（Ｆａ，Ｆｂ，Ｆｃ，Ｆｄ）から予測される撮影時の手振れによる影響度Ｘｆのレベルを求めるとともに、表示手段５により、二次情報Ｆｓを撮影前に表示すれば、撮影者は、撮影前に、予測される手振れによる影響度Ｘｆの度合を確認し、手振れに対してより注意して撮影を行うことができるなど、手振れに対して撮影前に適切に対処することができる。
【００１１】
（３）  好適な態様により、影響度Ｘｆのレベルが予め設定した第一警報レベルＸｆｓを超えたなら第一警報を出力する第一警報出力手段６を設ければ、第一警報により、例えば、シャッタスピード等の設定を変更したり或いは三脚を使用するなど、撮影ミスを未然に防止する必要な対策を施すことにより、特に、無駄な撮影回数を低減又は無くすことができる。
【００１２】
（４）  好適な態様により、一次情報（Ｆｅ）に、シャッタ動作時の振動を検出する振動センサ７から得る振動検出情報Ｆｅを含ませ、また、演算処理手段４により、二次情報Ｆｓとして、一次情報（Ｆｅ）により手振れの度合である手振れ度Ｘｓのレベルを求めるとともに、表示手段５により、二次情報Ｆｓを撮影後に表示すれば、撮影者は、撮影後に、実際に生じた手振れの度合を確認し、特に、再撮影の必要性について的確な判断を行うことができる。この場合、撮影前における影響度Ｘｆの表示と併用すれば、未然防止と再確認の二重対策により、より確実な手振れ対策を実現できる。
【００１３】
（５）  好適な態様により、手振れ度Ｘｓのレベルが予め設定した第二警報レベルＸｓｓを超えたなら第二警報を出力する第二警報出力手段８を設ければ、第二警報により、問題の大きい手振れを確実に知ることができるため、再撮影の欠落などを回避することができる。
【発明を実施するための最良の形態】
【００１４】
次に、本発明に係る最良の実施形態を挙げ、図面に基づき詳細に説明する。
【００１５】
まず、本実施形態に係るフィルム式カメラ１の要部を含む全体の構成について、図１〜図４を参照して説明する。
【００１６】
フィルム式カメラ１は、図２及び図３に示すように、カメラ本体３を備え、このカメラ本体３の前面には、バヨネット式のレンズマウント３ｍを介して不図示の交換レンズを着脱できる。交換レンズには、マニュアル式の焦点調整リング及び絞り調整リングを備えており、交換レンズ側のレンズ位置情報は、距離計連動コロ２０を介してカメラ本体３に付与される。カメラ本体３におけるレンズマウント３ｍの上方には、レンジファインダ２を備え、このレンジファインダ２は、対物窓２ｔ及び採光窓２ｈを有するとともに、背面には接眼窓２ｓを有する。なお、２１は距離計窓、２２は輝度を測定する測光センサ、２３は画角切換レバーをそれぞれ示す。また、カメラ本体３の上面には、アクセサリシュー２４，シャッタスピード設定ダイヤル２５，レリーズボタン２６，フィルム巻上レバー２７等を備える。
【００１７】
一方、カメラ本体３の背面には、表示手段５を構成する表示器（液晶表示パネル）２８，警報音を鳴らすスピーカ２９，フィルム装填用カバー３０等を備える。図２に、表示器２８の抽出拡大図を示す。表示器２８は、上部に複数のファンクションキーＫａ，Ｋｂ，Ｋｃを備えており、表示切換やカスタマイズモード切換等を行うことができる。また、表示器２８の表示画面２８ｖは、上半部の影響度表示部２８ｖｆと下半部の手振れ度表示部２８ｖｓを有し、上半部の影響度表示部２８ｖｆには、予測した撮影時の手振れによる影響度Ｘｆのレベルを定量的にメータ表示するとともに、手振れ度表示部２８ｖｓには、実際に検出した手振れ度Ｘｓのレベルを定量的にメータ表示する。例示のメータ表示は、レベルを「１」〜「６」の六段階に設定し、レベルに対応して六分割されたドットが順次点灯する。
【００１８】
なお、表示画面２８ｖは、このような手振れの度合に係わる情報を表示する他、図４に示す一般情報表示部２８ｖｓに切換えることにより、時刻Ｍａや電池残量Ｍｂ等の情報を表示することができる。画面表示は、ファンクションキーＫａ…により切換えることができる。また、カメラ本体３には、図に現れない画角切換レバーを備えている。
【００１９】
さらに、カメラ本体３の内部には、装填した銀塩フィルム（不図示）と装着した交換レンズ（不図示）間に介在するフォーカルプレーンシャッタを用いたシャッタ機構３１を備えるとともに、レンジファインダ２の内部には警報ランプ（警報表示部）３２を設ける。この警報ランプ３２は、撮影者がレンジファインダ２を覗いた場合、通常は見えないが、警報ランプ３２が点灯（ＯＮ）したときには確認できるように設ける。また、カメラ本体３の内部には、カメラ本体３の振動や衝撃を検出する振動センサ７を配設する。
【００２０】
他方、図１は、カメラ本体３に内蔵する制御系（電気系）Ｐのブロック回路図を示す。なお、制御系Ｐは、デジタルカメラのように画像データを処理する必要がないため、マイコン（マイクロコンピュータ）等を用いて比較的簡易に構成できる。４１は処理プログラムにより各種処理及び制御を実行するＣＰＵを示す。上述した振動センサ７は、増幅回路やＡ／Ｄ変換回路等を備える処理回路４２に接続し、この処理回路４２の出力側はＣＰＵ４１に接続する。この場合、処理回路４２の出力は検出された一次情報となり、この一次情報は振動検出情報ＦｅとしてＣＰＵ４１に付与される。４３はレリーズスイッチであり、前述したレリーズボタン２６により操作される。レリーズスイッチ４２は、レリーズボタン２６の比較的浅い半押しでＯＮする一段目のＯＮ位置と全押しでＯＮする二段目のＯＮ位置があり、各ＯＮ位置情報はＣＰＵ４１に付与される。
【００２１】
また、カメラ本体３の設定及び／又は検出に係わる情報（データ）は、一次情報としてＣＰＵ４１に付与される。この一次情報には、レンズ焦点距離情報Ｆａ，ＩＳＯ情報Ｆｂ，輝度情報Ｆｃ及びシャッタスピード情報Ｆｄが含まれる。４４はシステムメモリであり、後述する警報レベルの判定を行う基準レベルとなる警報レベルデータ（第一警報レベルＸｆｓ，第二警報レベルＸｓｓ）及び影響度Ｘｆの算出に必要なデータ（Ｆａ〜Ｆｄ等）を含む各種データが登録されている。
【００２２】
これにより、レンズ焦点距離情報Ｆａ，ＩＳＯ情報Ｆｂ，輝度情報Ｆｃ，シャッタスピード情報Ｆｄ，振動検出情報Ｆｅの一又は二以上の情報に基づいて、手振れの度合に係わる二次情報Ｆｓを演算により求める演算処理手段４が構成される。この演算処理手段４は、撮影前において、ＣＰＵ４１により、レンズ焦点距離情報Ｆａ，ＩＳＯ情報Ｆｂ，輝度情報Ｆｃ，シャッタスピード情報Ｆｄの一又は二以上の情報から予測される撮影時の手振れによる影響度Ｘｆのレベルを求めるとともに、撮影後に、振動検出情報Ｆｅから実際に生じた手振れの度合である手振れ度Ｘｓのレベルを求める。この場合、影響度Ｘｆのレベルは、シャッタスピード情報Ｆｄに対して予め実験等により設定できるとともに、手振れ度Ｘｓのレベルは、振動検出情報Ｆｅに対して予め実験等により設定できる。４５は上述したシャッタ機構３１を駆動するシャッタドライバであり、このシャッタドライバ４５にはＣＰＵ４１から制御信号が付与される。
【００２３】
さらに、４６は出力ドライバであり、出力ドライバ４６の出力側には、上述した表示器２８，スピーカ２９及び警報ランプ３２を接続するとともに、出力ドライバ４６はＣＰＵ４１に接続する。これにより、演算処理手段４により得られた二次情報Ｆｓである影響度Ｘｆのレベル及び手振れ度Ｘｓのレベルを表示器２８により定量的に表示する表示手段５が構成される。また、ＣＰＵ４１により第一警報レベルＸｆｓと影響度Ｘｆを比較し、影響度Ｘｆのレベルが予め設定した第一警報レベルＸｆｓを超えたならスピーカ２９及び警報ランプ３２により第一警報を出力する第一警報出力手段６が構成されるとともに、第二警報レベルＸｓｓと手振れ度Ｘｓを比較し、手振れ度Ｘｓのレベルが予め設定した第二警報レベルＸｓｓを超えたならスピーカ２９及び警報ランプ３２により第二警報を出力する第二警報出力手段８が構成される。
【００２４】
次に、本実施形態に係るフィルム式カメラ１の要部の動作について、図１〜図４を参照しつつ図５及び図６に示すフローチャートに従って説明する。
【００２５】
今、フィルム式カメラ１を用いて撮影を行う場合を想定する。図５は手振れを予測する撮影前の処理手順を示す。撮影前には、カメラ本体３の設定（マニュアル設定又はオート設定）に基づく情報、即ち、焦点距離別に設定を行う画角切換レバーからのレバー焦点距離情報Ｆａ及びＩＳＯ情報Ｆｂの読込みが行われる（ステップＳ１）。
【００２６】
撮影者がレリーズボタン２６を半押しすれば、レリーズスイッチ４３の一段目がＯＮ位置となる（ステップＳ２）。これにより、測光センサ２２から得る輝度情報Ｆｃ及びシャッタスピード情報Ｆｄの読込みが行われ、得られたシャッタスピード情報Ｆｄの設定から予測される撮影時の手振れによる影響度Ｘｆのレベルが演算により求められる（ステップＳ３，Ｓ４）。そして、得られた影響度Ｘｆのレベルは、影響度表示部２８ｖｆによりメータ表示される（ステップＳ５，Ｓ６）。図２は、レベル「２」が表示された状態を示している。したがって、図２に例示の場合、予測される手振れの影響度Ｘｆは、比較的小さいことを示している。
【００２７】
他方、得られた影響度Ｘｆのレベルが予め設定した第一警報レベルＸｆｓを超えた場合には、スピーカ２９及び警報ランプ３２から第一警報が出力する（ステップＳ７）。即ち、スピーカ２９からは、第一警報として設定された警報音が設定時間（設定回数）だけ鳴るとともに、レンジファインダ２内の警報ランプ３２が点灯する。また、影響度表示部２８ｖｆには、影響度Ｘｆが最も大きいレベル「６」の表示が行われる。この際、最大位置となる六番目の位置に表示されるドット及び警報ランプ３２は点滅表示させることにより、より注意を惹起させることが望ましい。なお、第一警報の出力時には、必要によりレリーズボタン２６が全押しできないようにロックすることも可能である。
【００２８】
よって、このような撮影前の処理により、撮影者は、撮影前に、予測される手振れによる影響度Ｘｆの度合を確認し、手振れに対してより注意して撮影を行うことができるなど、手振れに対して撮影前に適切に対処することができる。また、影響度Ｘｆのレベルが第一警報レベルＸｆｓを超えたなら第一警報を出力するようにしたため、例えば、シャッタスピード等の設定を変更したり或いは三脚を使用するなど、撮影ミスを未然に防止する必要な対策を施すことができる（ステップＳ８）。したがって、特に、無駄な撮影回数を低減又は無くすことができる利点がある。なお、例示のように、カメラ本体３における内部及び外部における表示に警報音を組合わせれば、撮影者に対して確実に注意を促すことができる。
【００２９】
一方、第一警報が出力せず、また、必要により影響度表示部２８ｖｆの表示を確認し、撮影者が手振れに対して問題がないと認識したときは、レリーズボタン２６を全押しする。これにより、レリーズスイッチ４３の二段目がＯＮ位置となる（ステップＳ９）。
【００３０】
そして、この後は、実際の手振れを検出する撮影後の処理が行われる（ステップＳＢ）。図６は、撮影後の処理手順を示す。なお、図６中のステップＳＡは、図５に基づいて説明した撮影前の処理を示している。上述したレリーズスイッチ４３の二段目がＯＮ位置になることにより、シャッタドライバ４５によりシャッタ機構３１が作動し、いわゆるシャッタを切った状態となる（ステップＳ１０）。この場合、シャッタ機構３１は、フォーカルプレーンシャッタのため、先羽根と後羽根がそれぞれ下上移動することにより先羽根と後羽根間に形成されるスリットを介して露光が行われ、交換レンズを通過した被写体像が銀塩フィルムに結像する。
【００３１】
また、この際、シャッタ機構３１の作動中における振動量を振動センサ７により検出する（ステップＳ１１）。この場合、無用な誤差要因を排除するため、シャッタ機構３１の動作中における振動のみを検出する（ステップＳ１２，Ｓ１３）。振動センサ７から得られる振動量に対応した検出信号は、処理回路４２に付与され、増幅処理及びＡ／Ｄ変換処理等がなされ後、一次情報である振動検出情報ＦｅとしてＣＰＵ４１に付与される。これにより、実際に生じた手振れの度合である手振れ度Ｘｓのレベルが振動検出情報Ｆｅから演算により求められる（ステップＳ１４）。そして、得られた手振れ度Ｘｓのレベルは、手振れ度表示部２８ｖｆにメータ表示される（ステップＳ１５，Ｓ１６）。なお、手振れ度表示部２８ｖｆによる表示は、前述した影響度表示部２８ｖｓにおける表示と同様に行うことができるが、配色を異ならせるなどにより容易に見分けられるように考慮することが望ましい。
【００３２】
他方、得られた手振れ度Ｘｓのレベルが予め設定した第二警報レベルＸｓｓを超えた場合には、スピーカ２９及び警報ランプ３２から第二警報が出力する（ステップＳ１７）。即ち、スピーカ２９からは、第二警報として設定された、前述の第一警報とは異なる警報音が設定時間（設定回数）だけ鳴るとともに、レンジファインダ２内の警報ランプ３２が点灯する。また、手振れ度表示部２８ｖｓには、手振れ度Ｘｓが最も大きいレベル「６」の表示が行われる。この際、最大位置となる六番目の位置に表示されるドット及び警報ランプ３２は点滅表示させることにより、より注意を惹起させることが望ましい。
【００３３】
よって、このような撮影後の処理により、撮影者は、撮影後に、実際に生じた手振れの度合を確認し、特に、再撮影の必要性について的確な判断を行うことができる。この場合、撮影前における影響度Ｘｆの表示と併用すれば、未然防止と再確認の二重対策により、より確実な手振れ対策を実現できる。さらに、手振れ度Ｘｓのレベルが第二警報レベルＸｓｓを超えたなら第二警報を出力するようにしたため、問題の大きい手振れを確実に知ることができ、もって、再撮影の欠落などを回避することができる利点がある。
【００３４】
なお、手振れ度表示部２８ｖｆによる表示及びスピーカ２９からの警報音は、設定時間の経過により終了し、状態がリセットされる（ステップＳ１８，Ｓ１９，Ｓ２０）。この際、次の撮影に直ちに移行したときは、前述したレリーズボタン２６の半押しで直前の状態がリセットされる。さらに、次の撮影を行う場合にも上述した処理と同様の処理が最初から行われる（ステップＳ２１）。
【００３５】
ところで、手振れは、望遠系レンズや最小Ｆ値の大きいレンズにおいて、特に影響が大きくなるなど、使用するレンズの特性や撮影条件或いは撮影者によっても差があるため、上述した第一警報レベルＸｆｓや第二警報レベルＸｓｓの設定レベル（設定値）を任意に変更することができる。この場合、ファンクションキーＫａ…によりカスタマイズモードの画面に切換えることにより変更可能である。これにより、撮影者にとっての使い勝手をより高めることができる。
【００３６】
このような本実施形態に係るフィルム式カメラ１によれば、手振れの度合に係わる情報を定量的に表示するため、撮影者は、手振れの度合（状態）を正確に知ることができ、再撮影の必要性について的確な判断を行うことができる。したがって、無駄な撮影回数の低減や希望する撮影品質の確保を図れるなど、フィルム式カメラ１に対して十分な手振れ対策を施すことができ、特に、撮影技量やノウハウの乏しい人がレンジファインダ２を備えたフィルム式カメラ１を使用する際の最適な手振れ対策となる。
【００３７】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３８】
例えば、一次情報（Ｆａ，Ｆｂ，Ｆｃ，Ｆｄ，Ｆｅ）及び二次情報Ｆｓは、例示の情報のみならず他の情報が追加されてもよいし削除されてもよい。また、演算処理手段４は、演算式による算出であってもよいもデータテーブルからの選択であってもよい。一方、定量的に表示するとは、例示のようなメータ形式でもよいし数値表示でもよく、更にこれらの組合わせでもよい。なお、レンジファインダ２を備えたフィルム式カメラ１を例示したが、手振れ補正機能を搭載しないデジタルカメラや一眼レフカメラ等にも同様に適用可能である。
【図面の簡単な説明】
【００３９】
【図１】本発明の最良の実施形態に係るフィルム式カメラの制御系（電気系）のブロック回路図、
【図２】同フィルム式カメラの外観背面図及び表示器の抽出拡大図、
【図３】同フィルム式カメラの交換レンズを装着しない状態の外観正面図、
【図４】同フィルム式カメラの表示器における一般情報表示部の画面図、
【図５】同フィルム式カメラを使用する際における撮影前処理の手順を示すフローチャート、
【図６】同フィルム式カメラを使用する際における撮影後処理の手順を示すフローチャート、
【符号の説明】
【００４０】
１      フィルム式カメラ
２      レンジファインダ
３      カメラ本体
４      演算処理手段
５      表示手段
６      第一警報出力手段
７      振動センサ
８      第二警報出力手段
Ｆａ    レンズ焦点距離情報（一次情報）
Ｆｂ    ＩＳＯ情報（一次情報）
Ｆｃ    輝度情報（一次情報）
Ｆｄ    シャッタスピード情報（一次情報）
Ｆｅ    振動検出情報（一次情報）
Ｆｓ    二次情報
Ｘｆ    影響度
Ｘｆｓ  第一警報レベル
Ｘｓ    手振れ度
Ｘｓｓ  第二警報レベル
【図１】
2007163833.tif 000003
【図２】
2007163833.tif 000004
【図３】
2007163833.tif 000005
【図４】
2007163833.tif 000006
【図５】
2007163833.tif 000007
【図６】
2007163833.tif 000008